(57)【要約】【課題】普段着として着用でき、自転車等に乗るときには、外部からの視認性を高めるとともに、前傾姿勢をとりやすくする衣服を提供する。【解決手段】ジャケット１の背中部２の中央の接ぎ３を利用して、上下に延びるように開口部４が形成される。ファスナ９により開口部４を閉じておけば、普段着として着用することができる。自転車等に乗るときには、ファスナ９により開口部４を開ける。自転車に乗るときの前傾姿勢では、背中部２が突っ張って、開口部４が大きく開いた状態となる。これにより、背中部２による突っ張りを軽減し、前傾姿勢がとりやすくなる。また、開口部４が大きく開いた状態では、反射材６、及びその両側に隣り合うようにして配置された蛍光色部分８が外部から見えるようになり、外部からの視認性を高めることができる。【選択図】図１Ｂ
0003198297.tif 000002
【実用新案登録請求の範囲】
【請求項１】
該衣服に一方向に延びるように形成された開口部と、
前記開口部が開いたときに見えるように設けられた反射材とを備えたことを特徴とする衣服。
【請求項２】
前記反射材に隣り合うようにして蛍光色部分が配置されることを特徴とする請求項１に記載の衣服。
【請求項３】
前記開口部の両側縁部から裏側に折り返すように設けられた一対の折り返し部を備え、
前記一対の折り返し部の間に前記反射材が配置されていることを特徴とする請求項１に記載の衣服。
【請求項４】
前記開口部の両側縁部から裏側に折り返すように設けられた一対の折り返し部を備え、
前記一対の折り返し部の間に前記反射材が配置されており、
前記折り返し部が蛍光色の布からなる、或いは前記折り返し部に蛍光色の布が設けられることにより、前記蛍光色部分が構成されることを特徴とする請求項２に記載の衣服。
【請求項５】
前記開口部はファスナにより開閉可能とされており、
前記ファスナは、前記開口部を閉じたときに、該衣服の布地によりかみ合わせ部が隠れることを特徴とする請求項１乃至４のいずれか１項に記載の衣服。
【請求項６】
前記開口部は、該衣服の接ぎを利用して形成されることを特徴とする請求項１乃至５のいずれか１項に記載の衣服。
【請求項７】
該衣服はスーツのジャケットであり、
前記開口部は、背中部の中央又は肩に近い位置のうち少なくともいずれかに上下に延びるように形成されていることを特徴とする請求項１乃至６のいずれか１項に記載の衣服。
【請求項８】
該衣服はスーツのジャケットであり、
前記開口部は、袖の上腕部の肩部側から肘部側に延びるように形成されていることを特徴とする請求項１乃至７のいずれか１項に記載の衣服。
【請求項９】
該衣服はスーツのスラックスであることを特徴とする請求項１乃至６のいずれか１項に記載の衣服。
【考案の詳細な説明】
【技術分野】
【０００１】
本考案は、自転車等の二輪車に乗るユーザが着用するのに好適な衣服に関する。
【背景技術】
【０００２】
近年のサイクリングブームもあり、自転車を利用するユーザが増えている。また、会社の業務、例えば宅配業務や営業活動において自転車を利用することも多くなっている。一方で、自転車に乗る際に、サイクリング専用に作られた衣服を着用するユーザは少なく、普段着のままのユーザの方が多い。例えば通勤時にスーツを着用して自転車を利用するユーザも見受けられる。
【先行技術文献】
【特許文献】
【０００３】
【特許文献１】特開平１１−３２７４７５号公報
【考案の概要】
【考案が解決しようとする課題】
【０００４】
夜間や暗所での存在を示すために、自転車に反射材を設けることがあるが、外部からの視認性をより高めるためには、乗員が反射材付き衣服を着用することが好ましい。例えば特許文献１には、自転車に乗るとき等に着用する、反射機能を有する安全ベストが提案されている。しかしながら、特許文献１に開示されているような安全ベストは、必要なときにだけ着用する特殊な衣服であり、携帯しておく必要がある。
【０００５】
また、自転車に乗るときに乗員は前傾姿勢をとるが、普段着のまま自転車に乗る場合、背中や上腕等が突っ張って窮屈となり、前傾姿勢がとりずらくなる。また、衣服の背中部や袖の上腕部に負荷がかかり、場合によっては破れてしまうおそれもある。
【０００６】
本考案は上記のような点に鑑みてなされたものであり、普段着として着用でき、自転車等に乗るときには、外部からの視認性を高めるとともに、前傾姿勢をとりやすくする衣服を提供することを目的とする。
【課題を解決するための手段】
【０００７】
本考案の衣服は、該衣服に一方向に延びるように形成された開口部と、前記開口部が開いたときに見えるように設けられた反射材とを備えたことを特徴とする。
また、本考案の衣服の他の特徴とするところは、前記反射材に隣り合うようにして蛍光色部分が配置される点にある。
また、本考案の衣服の他の特徴とするところは、前記開口部の両側縁部から裏側に折り返すように設けられた一対の折り返し部を備え、前記一対の折り返し部の間に前記反射材が配置されている点にある。この場合に、前記折り返し部が蛍光色の布からなる、或いは前記折り返し部に蛍光色の布が設けられることにより、前記蛍光色部分が構成されるようにしてもよい。
また、本考案の衣服の他の特徴とするところは、前記開口部はファスナにより開閉可能とされており、前記ファスナは、前記開口部を閉じたときに、該衣服の布地によりかみ合わせ部が隠れる点にある。
また、本考案の衣服の他の特徴とするところは、前記開口部は、該衣服の接ぎを利用して形成される点にある。
また、本考案の衣服の他の特徴とするところは、該衣服はスーツのジャケットであり、前記開口部は、背中部の中央又は肩に近い位置のうち少なくともいずれかに上下に延びるように形成されている点にある。
また、本考案の衣服の他の特徴とするところは、該衣服はスーツのジャケットであり、前記開口部は、袖の上腕部の肩部側から肘部側に延びるように形成されている点にある。
また、本考案の衣服の他の特徴とするところは、該衣服はスーツのスラックスである点にある。
【考案の効果】
【０００８】
本考案によれば、衣服に開口部が形成されるとともに、開口部が開いたときに反射材が外部から見えるようになっているので、普段着として着用でき、自転車等に乗るときには、外部からの視認性を高めるとともに、前傾姿勢をとりやすくする衣服を提供することができる。
【図面の簡単な説明】
【０００９】
【図１Ａ】実施形態に係るスーツのジャケットの背面側を示す図である。
【図１Ｂ】実施形態に係るスーツのジャケットの背面側を示す図である。
【図２】図１ＢのII−II線断面の概略構成を示す図である。
【図３】実施形態に係るスーツの襟まわりの拡大図である。
【図４】他の実施形態に係るスーツのジャケットの背面側を示す図である。
【図５】他の実施形態に係るスーツのスラックスの後側を示す図である。
【図６】他の実施形態に係るスーツのスラックスの後側を示す図である。
【考案を実施するための形態】
【００１０】
以下、添付図面を参照して、本考案の好適な実施形態について説明する。
図１Ａ、図１Ｂに、本考案を適用した実施形態に係るスーツのジャケット１を示す。
ジャケット１の背中部２は、左右の後ろ身頃２Ｌ、２Ｒを中央で接ぐ、すなわち左右の後ろ身頃２Ｌ、２Ｒを突き合わせて縫合するようになっている。この接ぎ３を利用して、所定の長さで上下に延びるように開口部４が形成されている。すなわち、接ぎ３の一部で左右の後ろ身頃２Ｌ、２Ｒを縫合しないことにより、開口部４が形成される。
【００１１】
図２に示すように、開口部４の両側縁部から裏側に折り返すように一対の折り返し部５、５が設けられる。そして、これら一対の折り返し部５、５の間に、可撓性を有する反射材６が設けられた布７が配置され、折り返し部５、５の端部に縫合される。これにより、開口部４のちょうど裏側で、開口部４に向き合うようにして反射材６が配置される。反射材６には、例えば再帰性反射材が用いられる。再帰性反射材は、入射光を光源の方向にまっすぐ戻す再帰性反射を実現したものであり、ガラスビーズで光を屈折させるタイプやプリズムで光を屈折させるタイプがある。
【００１２】
折り返し部５、５は、後ろ身頃２Ｌ、２Ｒをそのまま折り返して構成してもよいし、後ろ身頃２Ｌ、２Ｒとは異なる布を開口部４の両側縁部に縫合することにより構成してもよい。
そして、一対の折り返し部５、５が蛍光色の布からなる、或いは一対の折り返し部５、５のうち反射材６の両側に隣り合う面（図２の状態では反射材６に向き合っている面）に蛍光色の布が設けられる。これにより、図１Ｂに示すように、反射材６に隣り合うようにして黄色やオレンジ色等の蛍光色部分８が配置される。
【００１３】
開口部４は、ファスナ９により開閉可能とされている。ファスナ９には、開口部４を閉じたときに、布地（後ろ身頃２Ｌ、２Ｒ）によりかみ合わせ部（エレメント）が隠れる所謂コンシールファスナが用いられる。図１Ａ及び図１Ｂで符号９を付すのは、ファスナのスライダの取っ手であり、図２で符号９を付すのは、かみ合わせ部が設けられたテープである。
【００１４】
また、ジャケット１の袖１０は、２枚の布１０ａ、１０ｂを筒状にして接ぐようになっており、この接ぎ１１を利用して、上腕部の肩部側から肘部側に延びるように開口部４が形成される。なお、開口部４及びその内側の構成は、既述した背中部２のものと同様であり、ここではその説明を省略する。
【００１５】
また、図３に示すように、ジャケット１の襟１２の裏に反射材６が縫い付けられている。自転車に乗るときは、襟１２を立てることにより反射材６を露出させることができる。
【００１６】
以上のようにしたジャケット１は、ファスナ９により開口部４を閉じておけば、一般的なスーツのジャケットと変わることなく、普段着として着用することができる。
自転車等に乗るときには、ファスナ９により開口部４を開ける。自転車に乗るときの前傾姿勢では、背中部２や袖１０の上腕部が突っ張って、開口部４が開く。このとき、図１Ｂに示すように、折り返し部５、５が広がることも相まって、開口部４は大きく開いた状態となる。これにより、背中部２や袖１０の上腕部による突っ張りを軽減し、前傾姿勢がとりやすくなる。
そして、開口部４が大きく開いた状態では、反射材６及びその両側に隣り合うようにして配置された蛍光色部分８が外部から見える。これにより、昼間であれば主に蛍光色部分８が目立ち、夜間や暗所であれば光を受けた反射材６が目立つことになり、外部からの視認性を高めることができる。
【００１７】
また、反射材６は、ジャケット１の表面に対して奥まって配置されることになる。これにより、反射材６が摩擦等の外的刺激を受けにくく、反射材の機能が劣化しにくい。
【００１８】
以上、本考案を実施形態と共に説明したが、本考案はこれらの実施形態にのみ限定されるものではなく、本考案の範囲内で変更等が可能である。
例えば上記実施形態では、ジャケット１の背中部２の中央、及び袖１０の上腕部に開口部４を形成する例を説明したが、開口部４の位置や数は限定されるものではない。例えば図４に示すように、ジャケット１の背中部２の両肩に近い位置に接ぎ１３を設け、この接ぎ１３を利用して、上下に延びるように開口部４が形成されてもよい。自転車等に乗るときの前傾姿勢では、肩まわりも突っ張って、開口部４が大きく開いた状態となり、外部からの視認性を高めるとともに、前傾姿勢がとりやすくなる。
【００１９】
また、本考案を適用する衣服としては、上述したスーツのジャケット１等の上着に限定されるものではない。例えば図５、図６に示すように、スーツのスラックスに１４の適所に開口部４が形成されてもよい。図５の例では、膝裏の下方に接ぎ１５を設け、この接ぎ１５を利用して、左右に延びるように開口部４が形成されている。また、図６の例では、大腿部の側面に接ぎ１６を設け、この接ぎ１６を利用して、上下に延びるように開口部４が形成されている。スーツのスラックス１４は、２枚の布１４ａ、１４ｂを筒状にして接ぐようになっており、図６の例では、この接ぎ１６を利用して開口部４を形成したものである。
【００２０】
また、上記実施形態では、接ぎを利用して開口部４が形成されるようにした。図１Ａ、図１Ｂ、図６に示すように、ジャケット１やスラックス１４にもともと存在する接ぎ３、１１、１６を利用して開口部４を形成するようにすれば、デザインに違和感が生じることもない。ただし、接ぎを利用することに限定されるものではなく、例えば衣服に切り込みを入れて開口部４を形成するようにしてもかまわない。
【符号の説明】
【００２１】
１：ジャケット
２：背中部
３、１１、１３、１５、１６：接ぎ
４：開口部
５：折り返し部
６：反射材
８：蛍光色部分
９：ファスナ
１０：袖
１４：スラックス
【図１Ａ】
0003198297.tif 000003
【図１Ｂ】
0003198297.tif 000004
【図２】
0003198297.tif 000005
【図３】
0003198297.tif 000006
【図４】
0003198297.tif 000007
【図５】
0003198297.tif 000008
【図６】
0003198297.tif 000009